(57)【特許請求の範囲】
【請求項１】
フレキシブル基板（２０）を挿入する挿入開口部（７）が凹設されたハウジング（２）と、
フレキシブル基板（２０）の導電パターンと接触する接触部（５ａ、６ａ）を挿入開口部（７）に臨ませ、所定の間隔でハウジング（２）に取り付けられた複数のコンタクト（５、６）と、
挿入開口部（７）から引き出される後退位置と挿入開口部（７）へ挿入される前進位置との間で進退自在で、後退位置で、挿入開口部（７）内にフレキシブル基板（２０）を挿入する間隙が確保され、前進位置で、フレキシブル基板（２０）とコンタクト（５、６）の接触部（５ａ、６ａ）のいずれか一方を他方へ押圧させるスライダー（３）と、
ハウジング（２）に回動腕部（１０）が回動自在に支持され、回動腕部（１０）の回動に連動してスライダー（３）を進退移動させる操作レバー（４）とを備えたフレキシブル基板接続用コネクタであって、
回動腕部（１０）の回転中心軸回りに前方カム面（１５）と後方カム面（１６）を形成し、
回動腕部（１０）を挿通させ、前後方向で対向する内壁面が、前方ホロアー面（１７）と後方ホロアー面（１８）となる凹部（３ｂ）を、スライダ（３）の側面に形成し、
進退移動するスライダー（３）の凹部（３ｂ）と、回動腕部（１０）の回転中心軸（１２）の軸線が常に交差するように、回動腕部（１０）をハウジング（２）に回動自在に支持し、
操作レバー（４）の一方向への回動操作により、回動操作の間に少なくとも一部が凹部（３ｂ）から突出する後方カム面（１６）を後方ホロアー面（１８）に接触させて、スライダー（３）を後退位置へ移動させ、フレキシブル基板（２０）を挿入開口部（７）へ低挿入力で挿入自在とするとともに、
逆方向への回動操作により、回動操作の間に少なくとも一部が凹部（３ｂ）から突出する前方カム面（１５）を前方ホロアー面（１７）へ接触させて、スライダー（３）を前進位置へ移動させ、複数のコンタクト（５、６）の接触部（５ａ、６ａ）を、挿入開口部（７）に挿入されたフレキシブル基板（２０）の対応する導電パターンへ弾性接触させることを特徴とするフレキシブル基板接続用コネクタ。
【請求項２】
スライダー（３）が前進位置へ移動するまで操作レバー（４）を逆方向へ回動操作した状態で、前方カム面（１５）と後方カム面（１６）が凹部（３ｂ）内に収容され、回動腕部（１０）がハウジング（２）に、スライダー（３）の進退移動方向と平行に支持されることを特徴とする請求項１に記載のフレキシブル基板接続用コネクタ。
【請求項３】
複数のコンタクトは、ハウジング（２）に千鳥状に取り付けられる２種類のコンタクト（５、６）からなり、２種類のコンタクト（５、６）の接触部（５ａ、６ａ）を、前後２列で挿入開口部（７）に臨ませることを特徴とする請求項１又は２のいずれか１項に記載のフレキシブル基板接続用コネクタ。
【発明の詳細な説明】
【０００１】
【発明の属する技術分野】
本発明は、フレキシブルフラットケーブル（ＦＦＣ）やフレキシブルプリント配線基板（ＦＰＣ）等のフレキシブル基板と電気的に接続するフレキシブル基板接続用コネクタに関し、更に詳しくは、フレキシブル基板を低挿入力で接続することができるフレキシブル基板接続用コネクタに関する。
【０００２】
【従来の技術】
従来のフレキシブル基板の接続用コネクタは、ＦＦＣやＦＰＣを相互に電気的に接続して中継したり、これらと他の電子部品が搭載された回路基板とを電気的に接続するために使用されている。
【０００３】
フレキシブル基板は可撓性を有するため、通常この種のフレキシブル基板接続用コネクタにはＺＩＦ（ゼロ  インサーション  フォース）構造が採用されている。ＺＩＦ構造は、コネクタのコンタクトからの接触圧を受けずに低挿入力でフレキシブル基板を挿入できるとともに、フレキシブル基板の挿入後は、所定の接触圧を持ってコネクタのコンタクトと接触し、安定した電気的接続が図れるものである。
【０００４】
ＺＩＦ構造を備えた従来のフレキシブル基板接続用コネクタは、フレキシブル基板を挿入するハウジングの挿入開口部に、多数のコンタクトの各接触部を臨ませるとともに、この挿入開口部に対してスライダーを進退自在に取り付けている。スライダーが挿入開口部から引き出さすと、挿入開口部にフレキシブル基板を挿入する間隙が確保され、フレキシブル基板を、コンタクトからの接触圧を受けずに低挿入力で挿入できる。フレキシブル基板を挿入した後に、スライダーを挿入開口部へ挿入すると、フレキシブル基板は、スライダーによってコンタクトの接触部方向に押圧され、充分な接触圧でコンタクトと接触する。再びスライダーを引き出すと、フレキシブル基板の周囲に間隙が生じ、コンタクトからの接触圧を受けずにフレキシブル基板を抜き出すことができる。
【０００５】
このようなＺＩＦ構造を備えた従来のコネクタは、挿入開口部に挿入されたフレキシブル基板に沿ってスライダーを挿入することとなるため、フレキシブル基板がじゃまになって操作しずらいという問題があった。
【０００６】
また、スライダーの両側を持って、挿入開口部へ挿入し、若しくは引き出す操作であるため、コネクタの両側に操作スペースを確保する必要があり、プリント配線基板の高密度実装化の障害となっていた。
【０００７】
そこで、図９に示すように、前述のスライダーの代えて、回動自在の操作レバー１０２を用いたＺＩＦ構造のフレキシブル基板接続用コネクタ１００が開発された。
【０００８】
上記コネクタ１００は、プリント配線基板（図示せず）上に装着される絶縁プラスチック樹脂製のハウジング１０１と、該ハウジング１０１に取り付けられた複数のコンタクト１０３と、回動自在に取り付けられる絶縁性プラスチック樹脂製の操作レバー１０２とを備えている。
【０００９】
コンタクト１０３は、導電性金属板を打ち抜いて形成されたもので、フレキシブル基板１３０に形成された導電パターン（図示省略）に接触する接触部１０３ａと、プリント配線基板の回路パターンと半田付けによって接続される脚部１０３ｂと、枢支部１０３ｃを一体に備えている。
【００１０】
ハウジング１０１には、フレキシブル基板１３０を挿入する挿入開口部１０４が凹設され、この挿入開口部１０４に片持ち支持された接触部１０３ａを臨ませるように、複数のコンタクト１０３が、フレキシブル基板１３０に形成された導電パターンのピッチに合わせて取り付けられている。
【００１１】
また、操作レバー１０２の基端は、断面略Ｕ字状に折り曲げられ、その内周面は、円弧状に形成されて、コンタクト１０３の枢支部１０３ｃに係合し、枢支部１０３ｃ回りに回動自在となっている。また、外周面には、操作レバー１０２の回転軸回り（枢支部１０３ｃ回り）で凹面１０５ａと凸面１０５ｂが形成されている。
【００１２】
上記構造のコネクタ１００は、図９に示す状態に操作レバー１０２を起立させ、フレキシブル基板１３０をハウジング１０１の挿入開口部１０４へ挿入する。かかるフレキシブル基板１３０の挿入の際には、操作レバー１０２の凹面１０５ａの部分が最下方で挿入開口部１０４に臨むので、コンタクト１０３の接触部１０３ａとの間にフレキシブル基板１３０を挿通させる間隙があり、接触部１０３ａから接触圧を受けずにフレキシブル基板１３０を挿入できる。
【００１３】
フレキシブル基板１３０を挿入した後に、操作レバー１０２を矢印方向に回転させると、凸面１０５ｂの部分がフレキシブル基板１３０の上面を押圧し、接触部１０３ａが下方に撓み、コンタクト１０３の接触部１０３ａとフレキシブル基板１３０の導電パターンとが、所定の接触圧で弾性接触する。
【００１４】
更に、フレキシブル基板１３０を抜き出す際には、操作レバー１０２を逆方向に回転操作し、挿入開口部１０４内に間隙を生じさせて、接触部１０３ａから接触圧を受けずにフレキシブル基板１３０を抜き出す。
【００１５】
このように回転する操作レバー１０２を用いたＺＩＦ構造のフレキシブル基板接続用コネクタ１００によれば、挿入されたフレキシブル基板１３０がじゃまにならずに、操作レバー１０２を操作することができ、また、その操作もコネクタ１００の上方で行うので、コネクタ１００の両側に操作スペースを確保する必要がなくなる。
【００１６】
【発明が解決しようとする課題】
【００１７】
しかしながら、この回転型のフレキシブル基板接続用コネクタ１００は、凹面１０５ａと凸面１０５ｂの回転軸からの高低差で、フレキシブル基板１３０をコンタクト１０３側へ押しつけ、接触部１０３ａと所定の接触圧を得ているが、限られた挿入開口部１０４の空間内で、操作レバー１０２の基端に大きな高低差の押圧曲面を形成することは、困難であった。従って、コネクタ１００全体が大型化するか、大きな高低差が得られずに充分な接触圧がとれないという問題があった。
【００１８】
また、操作レバー１０２とフレキシブル基板１３０は、凸面１０５ｂで接触しているだけなので、接続しているフレキシブル基板１３０は、わずかな引き抜き力で抜け出てしまうという問題があった。更に、フレキシブル基板１３０を引き抜きにより操作レバー１０２自体も回転しやすく、操作レバー１０２の回転を防止にストッパーを形成する必要があった。
【００１９】
また、ハウジング１０１にコンタクト１０３を挟ピッチ化して取り付ける場合には、２種類のコンタクトの各接触部を、フレキシブル基板１３０の挿入方向に対して前後にずらせて挿入開口部１０４へ露出させるものであるが、フレキシブル基板１３０への押圧位置が、操作レバー１０２の凸面１０５ｂの一カ所であるため、２種類のコンタクトの各接触部に等しい接触圧でフレキシブル基板１３０を弾性接触させることができなかった。
【００２０】
更に、この種のＺＩＦ構造を採るコネクタ１００では、コンタクト１０３側を操作レバー１０２の突面１０５ｂで押圧すると、充分な撓み量がとれずにコンタクト１０３が疲労するので、フレキシブル基板１３０を突面１０５ｂで押圧しているが、操作レバー１０２は、回転操作のために、フレキシブル基板１３０の上方に配置する必要があり、フレキシブル基板１３０の上方にコンタクト１０３の接触部１０３ａを配置させるような構造とすることができず、コネクタの設計上の制約となっていた。
【００２１】
この発明は、以上の問題に鑑み、ハウジングの両側に操作スペースを確保することなく、フレキシブル基板に干渉することなく操作レバーを操作することができ、しかも、接続しているフレキシブル基板が簡単に抜け出ることがないフレキシブル基板接続用コネクタを提供することを目的とする。
【００２２】
また、コンタクトを千鳥状にハウジングに取り付けても、均一な接触圧でフレキシブル基板と弾性接触させることができるフレキシブル基板接続用コネクタを提供することを目的とする。
【００２３】
【課題を解決するための手段】
請求項１のフレキシブル基板接続用コネクタは、フレキシブル基板を挿入する挿入開口部が凹設されたハウジングと、フレキシブル基板の導電パターンと接触する接触部を挿入開口部に臨ませ、所定の間隔でハウジングに取り付けられた複数のコンタクトと、挿入開口部から引き出される後退位置と挿入開口部へ挿入される前進位置との間で進退自在で、後退位置で、挿入開口部内にフレキシブル基板を挿入する間隙が確保され、前進位置で、フレキシブル基板とコンタクトの接触部のいずれか一方を他方へ押圧させるスライダーと、ハウジングに回動腕部が回動自在に支持され、回動腕部の回動に連動してスライダーを進退移動させる操作レバーとを備えたフレキシブル基板接続用コネクタであって、
回動腕部の回転中心軸回りに前方カム面と後方カム面を形成し、回動腕部を挿通させ、前後方向で対向する内壁面が、前方ホロアー面と後方ホロアー面となる凹部をスライダの側面に形成し、進退移動するスライダーの凹部と、回動腕部の回転中心軸の軸線が常に交差するように、回動腕部をハウジングに回動自在に支持し、操作レバーの一方向への回動操作により、回動操作の間に少なくとも一部が凹部から突出する後方カム面を後方ホロアー面に接触させて、スライダーを後退位置へ移動させ、フレキシブル基板を挿入開口部へ低挿入力で挿入自在とするとともに、逆方向への回動操作により、回動操作の間に少なくとも一部が凹部から突出する前方カム面を前方ホロアー面へ接触させて、スライダーを前進位置へ移動させ、複数のコンタクトの接触部を、挿入開口部に挿入されたフレキシブル基板の対応する導電パターンへ弾性接触させることを特徴とする。
【００２４】
上記構造のフレキシブル基板接続用コネクタは、操作レバーを一方向へ回動操作すると、その回動に連動してスライダーが挿入開口部から引き出される後退位置へ移動する。スライダーが引き出された後退位置にあるときには、挿入開口部内で、コンタクトの接触部との間に所定の間隙が形成され、フレキシブル基板を、低挿入力で挿入開口部に挿入することができる。
【００２５】
操作レバーを逆方向へ回動操作すると、その回動に連動してスライダーは、挿入開口部へ挿入される前進位置へ移動する。挿入されるスライダーにより、フレキシブル基板若しくはコンタクトの接触部の一方が他方に向けて押圧され、所定の接触圧をもって、接触部とフレキシブル基板の導電パターンが弾性接触し電気接続する。
【００２６】
挿入開口部内で、スライダーとフレキシブル基板は、平行な対向面が接触するので、フレキシブル基板は簡単に抜け出ることがない。また、スライダー自体も操作レバーに連動しているので、不用意に抜け出ることがない。
【００２７】
操作レバーのスライダーとの接触面にカム面を形成するだけで、スライダーを操作レバーの回動に連動させることができる。
【００２８】
また、スライダーは、カム面に当接して連動するホロアーとするので、容易に進退移動することがなく、フレキシブル基板が接続された状態で予期しない引き抜き力が働いても、スライダーが引き抜かれることがない。逆に、軽操作力で操作レバーを回動操作することによって、スライダーを往復移動させることができる。
【００２９】
請求項２のフレキシブル基板接続用コネクタは、スライダーが前進位置へ移動するまで操作レバーを逆方向へ回動操作した状態で、前方カム面と後方カム面が凹部内に収容され、回動腕部がハウジングに、スライダーの進退移動方向と平行に支持されることを特徴とする。
【００３０】
請求項３のフレキシブル基板接続用コネクタは、複数のコンタクトが、ハウジングに千鳥状に取り付けられる２種類のコンタクトからなり、２種類のコンタクトの接触部を、前後２列で挿入開口部に臨ませることを特徴とする。
【００３１】
前後２列で挿入開口部に臨む接触部に対して、等しい厚さのスライダーで押圧するので、等しい接触圧でフレキシブル基板の導電パターンへ弾性接触させることができる。また、挿入されるスライダーの厚さを変えることにより、任意のコンタクトの接触部を、所望の接触圧でフレキシブル基板へ弾性接触させることができる。
【００３２】
【発明の実施の形態】
以下、本発明の実施の形態に係るフレキシブル基板接続用コネクタ１を、図１乃至図８を用いて説明する。
【００３３】
図１は、フレキシブル基板接続用コネクタ（以下、コネクタという）１の分解斜視図であり、図に示すように、コネクタ１は、ハウジング２、スライダー３、操作レバー４及び複数のコンタクト５、６とから構成されている。
【００３４】
ハウジング２の本体２ａは、絶縁性プラスチック樹脂によって横長直方体状に成形され、その正面側から、フレキシブル基板２０を挿入する横長スリット状の挿入開口部７が凹設されている。挿入開口部７に臨む上下の内壁面には、コンタクト５、６を位置決めする位置決めスリット７ａ、７ｂが、フレキシブル基板２０の導電パターンの配列ピッチに合わせて凹設され、正面側（以下、ハウジング２の正面側を後方と、背面側を前方という）に開口するスリット７ａにコンタクト５が、前方に開口するスリット７ｂにコンタクト６が、それぞれ位置決め支持される。これにより、図２（ａ）、図３（ａ）に示すように、２種類のコンタクト５、６の各接触部５ａ、６ａは、挿入開口部７の底面で、前後２列の部位に露出する。
【００３５】
図１に示すように、ハウジング２の本体２ａ両側には、上方に開口し、本体２ａの両側面に沿って前後方向に連続するガイド枠部８、８が連設されている。ガイド枠部８、８は、スライダー３のスライド腕部９、９を前後方向にスライド自在に、操作レバー４の回動腕部１０、１０を回転自在に収容するものである。
【００３６】
ガイド枠部８、８の外側壁部には、スライダー３の抜け止め突起９ａが遊嵌する長孔１１が前後方向を長手方向として形成され、スライダー３の後方への抜け止めを行っている。また、ガイド枠部８、８の後方寄りで、本体２ａの両側面には、回動腕部１０、１０の先端で内側に突出する枢軸１２、１２を遊嵌し、操作レバー４を回動自在に支持する枢支孔１３、１３が穿設されている。
【００３７】
スライダー３は、絶縁性プラスチック樹脂で図６に示す形状に成形されたもので、ハウジング２の正面側を覆う横長ロッド状のスライダー本体の両側に、スライド腕部９、９が、その間に矩形板状の押圧板１４が、それぞれ、前方に向けて突設されている。
【００３８】
スライド腕部９の外側には、前述の抜け止め突起９ａが一体に突設され、また、内側には、回動する操作レバー４の回動腕部１０を挿通させる凹部３ｂが形成されている。この凹部３ｂ内で前後方向で対向する内壁面は、それぞれ上部が突曲面となり、操作レバー４の後述するカム面１５、１６が当接するものであり、前方壁面が前方ホロアー面１７、後方壁面が後方ホロアー面１８となっている。
【００３９】
押圧板１４は、挿入開口部７に挿入自在で、挿入開口部７に挿入されたフレキシブル基板２０をその上面からコンタクト５、６の接触部５ａ、６ａの方向へ押圧するもので、押圧板１４の厚さでコンタクト５、６の撓み量、すなわち接触圧を調整することができる。
【００４０】
この押圧板１４が挿入開口部７に挿入自在で、スライド腕部９、９がガイド枠部８、８に前後方向に案内されることにより、スライダー３は、押圧板１４が挿入開口部７から引き出される後退位置（図２（ａ）参照）と、挿入開口部７へ挿入される前進位置（図３（ａ）参照）との間で進退自在となっている。
【００４１】
操作レバー４は、図７に示すように、絶縁性プラスチック樹脂で全体がコの字状に成形され、横長ロッド状の操作部４ａの両側に、一対の回動腕部１０が連設されたものである。回動腕部１０は、前述したように内向きに枢軸１２が突設された先端から操作部４ａに向かって連続する平面が、緩やかに立ち上がる傾斜面となっていて、この傾斜面が、後方ホロアー面１８に当接する後方カム面１６となる。また、回動腕部１０の外側面は中間で外側に膨出し、この膨出部の基端側（操作部４ａ側）から底面にかけての側面は、円弧状の湾曲面に形成され、前方ホロアー面１７に当接する前方カム面１５となっている。
【００４２】
この操作レバー４は、一対の回動腕部１０、１０でハウジング２の本体２ａを挟むようにして枢軸１２を枢支孔１３に遊嵌させることにより、枢軸１２回りに回動自在に取り付けられる。ハウジング２に取り付けられた状態で、回動腕部１０は、スライダー３の凹部３ｂを挿通するので、前方カム面１５と後方カム面１６は、それぞれ前方ホロアー面１７と後方ホロアー面１８に対向するものとなる。
【００４３】
２種類の形状のコンタクト５とコンタクト６は、弾性を有する銅合金などの導電性金属板を、二股のフォーク状に打ち抜いて形成したものである。コンタクト５は、図１、図２（ａ）に示すように、二股の上片が接触部５ａと、下片がハウジング２のスリット７ａに圧入される取付部５ｂとなり、取付部５ｂがスリット７ａに圧入されてハウジング２に固定された状態で、片持ち支持された接触部５ａの先端は、挿入開口部７の内底面前方に突出する。一方、コンタクト６は、図１、図３（ａ）に示すように、二股の下片が接触部６ａと、上片がスリット７ｂに圧入される取付部６ｂとなり、取付部６ｂがハウジング２に固定された状態で、片持ち支持された接触部６ａの先端は、挿入開口部７の内底面後方に突出する。また、これらのコンタクト５、６の二股の基部は、ハウジング２の底面と平行に露出し、コネクタ１を実装するプリント配線基板の対向する位置に配設されたランドパターン（図示せず）に半田接続される。図４に示すように、複数のコンタクト５、６は、ハウジング２の後方と前方から、互いに平行に等ピッチで千鳥状に配設されるので、プリント配線基板上に高密度に印刷されたランドパターンや、挟ピッチ化したフレキシブル基板２０の導電パターンに対しても、各コンタクト５、６を対応させて電気接続することができる。
【００４４】
上述構成のフレキシブル基板接続用コネクタ１は、フレキシブル基板２０を挿入する前に操作レバー４を後方側に回動操作し、図２、図８（ａ）に示すように、ハウジング２に対して斜め後方に起立させる。この回動操作により、操作レバー４の後方カム面１６は、スライダー３の後方ホロアー面１８に当接し（参照）、スライダー３を後方へスライドさせる。両者の圧力角が増し、若しくはスライダー３の抜け止め突起９ａが長孔１１の後端に当接して、スライドは停止し、このスライダー３が停止した後退位置で、押圧板１４は、挿入開口部７から引き出された状態となっている。
【００４５】
この待機状態では、挿入開口部７に押圧板１４が挿入されていないので、コンタクト５、６の接触部５ａ、６ａとハウジング２の挿入開口部７の対向する内壁面との間に、フレキシブル基板２０の厚さよりも広い間隙が確保され、フレキシブル基板２０をコンタクト５、６からの接触圧を受けずに挿入することができる。
【００４６】
フレキシブル基板２０を挿入した後、操作レバー４を枢軸１２回りに前方へ回動操作すると、図８（ｂ）に示すように、操作レバー４の前方カム面１５が、スライダー３の前方ホロアー面１７に当接し、スライダー３を前方へスライドさせる。図３、図８（ｃ）に示すように、操作レバー４をスライダー３と平行となるまで回動操作すると、スライダー３は、押圧板１４が挿入開口部７内に挿入される前進位置で停止する。
【００４７】
この接続状態では、挿入開口部７の隙間に挿入される押圧板１４により、フレキシブル基板２０は、コンタクト５、６の接触部５ａ、６ａの方向に押しつけられ、接触部５ａ、６ａが下方に撓んで、フレキシブル基板２０の導電パターンと所定の接触圧をもって弾性接触し、良好な電気接続が行われる。
【００４８】
接続状態では、フレキシブル基板２０の上面に押圧板１４が密着するので、フレキシブル基板２０に引き抜き力が作用しても不用意に抜き出ることがなく、また、スライダー３自体も、操作レバー４の前方カム面１５に当接することによって、後方へのスライドが規制され、不用意に抜け出ることがない。
【００４９】
接続を解除して、意図的にフレキシブル基板２０を引き抜く場合には、図８（ｄ）、（ｅ）に示すように、操作レバー１１を後方へ回動操作して、スライダー３を後方にスライドさせ、図２に示す後退位置に移動させ、待機状態に復帰させる。その結果、押圧板１４が引き出され、上述と同様の作用によって、フレキシブル基板２０を低挿入力で抜き出すことができる。
【００５０】
上記実施の形態では、操作レバー４に板カム１５、１６を形成し、スライダー３をこの板カムに当接するホロアーとして連動させるカム機構を用いたが、操作レバー４の回転運動をスライダー３の往復直線運動に変換させるものであれば、リンク機構など他の機構を用いてもよい。更に、カム機構は、溝カムとこの溝カムに係合するピンとからなる立体カムなど、他のカム機構であってもよい。
【００５１】
また、フレキシブル基板２０をスライダー３でコンタクト５、６の方向へ押圧したが、弾性変形するコンタクトとハウジングの間にスライダーの押圧板を挿入し、コンタクトをフレキシブル基板へ押圧してもよい。
【００５２】
また、上述の実施の形態では、２種類のコンタクト５、６がハウジング２に取り付けられるものであったが、１種類若しくは更に多種類のコンタクトに対してフレキシブル基板を接触させるものであってもよい。
【００５３】
【発明の効果】
本発明によれば、操作レバーを回動させる構造のＺＩＦ機構であるので、挿入されたフレキシブル基板がじゃまにならずに、操作レバーを回転操作することができ、また、操作スペースをコネクタ１の周囲に設ける必要がない。
【００５４】
また、操作レバーを回動操作させる機構であるにもかかわらず、挿入されるスライダーの厚さを調整することによって、コンタクトとフレキシブル基板を充分な接触圧で弾性接触させることができる。
【００５５】
更に、フレキシブル基板に作用する引き抜き力は、直接操作レバーに伝わらないので、操作レバーが不用意に回動することがなく、接続状態を確実に維持できる。
【００５６】
更に、接続状態で、スライダーをフレキシブル基板と平行に密着させ、フレキシブル基板と広い接触面積で押圧することができるので、フレキシブル基板が抜け出にくいものとなる。
【００５７】
更に、フレキシブル基板をスライダーでコンタクトの接触部へ押圧する構造とした場合に、下方からフレキシブル基板をその上方に配置したコンタクトの方向へ押圧させ、フレキシブル基板の上方にコンタクトの接触部を配置することもできる。
【００５８】
更に、操作レバーにカム面を形成してスライダーに当接させるので、簡単な加工で、操作レバーとスライダーを連動させることができる。
【００５９】
更に、操作レバーのカム面を、回動操作の作用位置に比べてて回転軸近傍に形成すれば、てこの原理で、より軽操作力でスライダーをスライド操作することができる。
【００６０】
請求項３の発明によれば、挿入開口部内で、前後の異なる位置に露出するコンタクトの接触部に対しても、同様にスライダーの押圧板が作用するので、等しい接触圧で、フレキシブル基板１３０に弾性接触させることができる。
【００６１】
更に、接触部の当接位置に対応する押圧板の各部位で、その厚みを任意に変えて、コンタクト毎に接触圧を調整することができる。
【図面の簡単な説明】
【図１】  本発明の実施の形態を示すフレキシブル基板接続用コネクタ１の分解斜視図である。
【図２】  待機状態にあるフレキシブル基板接続用コネクタ１を示し、
（ａ）は、コンタクト５に沿って切断した縦断面図、
（ｂ）は、側面図である。
【図３】  接続状態にあるフレキシブル基板接続用コネクタ１を示し、
（ａ）は、コンタクト６に沿って切断した縦断面図、
（ｂ）は、側面図である。
【図４】  フレキシブル基板接続用コネクタ１の部分破断平面図である。
【図５】  フレキシブル基板接続用コネクタ１の正面図である。
【図６】  スライダー３を示し、
（ａ）は、平面図、
（ｂ）は、正面図、
（ｃ）は、縦断面図である。
【図７】  操作レバー４を示し、
（ａ）は、平面図、
（ｂ）は、正面図、
（ｃ）は、縦断面図
（ｄ）は、側面図である。
【図８】  （ａ）乃至（ｅ）は、操作レバー４の回動とスライダー３の連動状態を示す説明図である。
【図９】  従来のフレキシブル基板接続用コネクタ１００を示す縦断面図である。
【符号の説明】
１          フレキシブル基板接続用コネクタ
２          ハウジング
３          スライダー
４          操作レバー
５、６      コンタクト
５ａ、６ａ  コンタクトの接触部
７          挿入開口部
１５        前方カム面
１６        後方カム面
２０        フレキシブル基板
【図１】
0003762216.tif 000002
【図２】
0003762216.tif 000003
0003762216.tif 000004
【図３】
0003762216.tif 000005
0003762216.tif 000006
【図４】
0003762216.tif 000007
【図５】
0003762216.tif 000008
【図６】
0003762216.tif 000009
0003762216.tif 000010
0003762216.tif 000011
【図７】
0003762216.tif 000012
0003762216.tif 000013
0003762216.tif 000014
0003762216.tif 000015
【図８】
0003762216.tif 000016
0003762216.tif 000017
0003762216.tif 000018
0003762216.tif 000019
0003762216.tif 000020
【図９】
0003762216.tif 000021